(57)【要約】【課題】スライダの操作力の増大を抑えた上で相手コネクタのフード部の変形を防止した防水コネクタ等を提供する。【解決手段】防水コネクタ２０は、フード部１１１を有するハウジング１１を備えた相手コネクタ１０と嵌合するコネクタである。この防水コネクタ２０は、第１組立体３０と第２組立体４０を備えている。第１組立体３０は、インナハウジング３１とシール部材３２を備えている。また、第２組立体４０は、アウタハウジング４１とスライド自在にアウタハウジング４１に支持されたスライダ５０を備えている。スライダ５０は、スライドにより相手コネクタ１０を防水コネクタ２０に嵌合させる部材である。そして、このスライダ５０には、スライド方向の両端部を除く中央部に、フード部１１を内方へ押圧する台部５３が形成されている。【選択図】図６
2019200846.tif 000002
【特許請求の範囲】
【請求項１】
嵌合の向きの前方に開口したフード部を有する第１ハウジングを備え、該フード部に外向きに突出したボスが形成された第１コネクタ、並びに
前記第１コネクタと嵌合する嵌合部を有するインナハウジングと、該インナハウジングを一周に亘って取り巻き、前記フード部の内壁面に接して該第１コネクタとの間を防水するシール部材とを備えた第１組立体、および
前記第１コネクタとの嵌合の向きの前方に開口し前記嵌合部の周りに前記フード部が嵌入する隙間を空けて前記第１組立体を収容するアウタハウジングと、前記第１コネクタとの嵌合の方向に交わるスライド方向にスライド自在に該アウタハウジングに支持され、前記ボスを受け入れてスライドすることにより前記第１コネクタを嵌合させるカム溝が形成されるとともに、前記スライド方向の両端部を除く中央部に、前記フード部を内方へ押圧する押圧部を有するスライダと、該スライダをスライドさせるレバーとを備えた第２組立体を有する第２コネクタ
を備えたことを特徴とするコネクタ組立体。
【請求項２】
嵌合の向きの前方に開口したフード部を有する第１ハウジングを備え、該フード部に外向きに突出したボスが形成された相手コネクタと嵌合するコネクタであって、
前記相手コネクタと嵌合する嵌合部を有するインナハウジングと、該インナハウジングを一周に亘って取り巻き、前記フード部の内壁面に接して該相手コネクタとの間を防水するシール部材とを備えた第１組立体、および
前記相手コネクタとの嵌合の向きの前方に開口し前記嵌合部の周りに前記フード部が嵌入する隙間を空けて前記第１組立体を収容するアウタハウジングと、前記相手コネクタとの嵌合の方向に交わるスライド方向にスライド自在に該アウタハウジングに支持され、前記ボスを受け入れてスライドすることにより前記相手コネクタを嵌合させるカム溝が形成されるとともに、前記スライド方向の両端部を除く中央部に、前記フード部を内方へ押圧する押圧部を有するスライダと、該スライダをスライドさせるレバーとを備えた第２組立体を有することを特徴とする防水コネクタ。
【請求項３】
前記アウタハウジングが、前記スライド方向両端部に前記スライダを受け入れて該スライダを支持する支持開口を有し、
前記押圧部が、前記レバーの操作による、前記スライダのスライドの全範囲において前記支持開口に支持されることのない、該スライダの中央部に設けられていることを特徴とする請求項２に記載の防水コネクタ。
【発明の詳細な説明】
【技術分野】
【０００１】
本発明は、互いに組み合う２つのコネクタからなるコネクタ組立体、および、そのコネクタ組立体を構成する一方のコネクタである防水コネクタに関する。
【背景技術】
【０００２】
フード形状のハウジングを備えた相手コネクタと組み合う、スライダを備えた防水コネクタが知られている。この防水コネクタにおいて、防水用のシール部材が相手コネクタのフード形状のハウジングの内壁面に押し当てられる。このため、環境温度条件等によっては、その押し当ての力に起因して相手コネクタのハウジングが変形し、防水性が低下するおそれがある。
【０００３】
特許文献１には、シール部材およびスライダを備えた雌ハウジングのフード部（大フード部）で雄ハウジングのフード部（小フード部）を押えることにより、小フード部の熱変形を防止する構造の防水コネクタが開示されている。また、この特許文献１には、小フード部をスライダで押えることも示唆されている。
【先行技術文献】
【特許文献】
【０００４】
【特許文献１】特開２００２−３７３７３２号公報
【発明の概要】
【発明が解決しようとする課題】
【０００５】
上掲の特許文献１の場合、大フード部で小フード部を押さえるために大フード部でスライダを挟む構造を必要とし、雌ハウジングが大型化するおそれがある。また、この特許文献１には、小フード部をスライダで押えることが示唆されているが、具体的な構造は明らかではない。小フード部をスライダで押える場合、スライダのスライド操作に伴う操作力の増大を招くおそれがあるが、特許文献１には、この点の解決策は示されていない。
【０００６】
本発明は、上記事情に鑑み、スライダの操作力の増大を抑えた上で相手コネクタのフード部の変形を防止した防水コネクタ、および、その防水コネクタとその相手コネクタとからなるコネクタ組立体を提供することを目的とする。
【課題を解決するための手段】
【０００７】
上記目的を達成する本発明のコネクタ組立体は、
嵌合の向きの前方に開口したフード部を有する第１ハウジングを備え、フード部に外向きに突出したボスが形成された第１コネクタ、並びに
第１コネクタと嵌合する嵌合部を有するインナハウジングと、インナハウジングを一周に亘って取り巻き、フード部の内壁面に接して第１コネクタとの間を防水するシール部材とを備えた第１組立体、および
第１コネクタとの嵌合の向きの前方に開口し嵌合部の周りにフード部が嵌入する隙間を空けて第１組立体を収容するアウタハウジングと、第１コネクタとの嵌合の方向に交わるスライド方向にスライド自在にアウタハウジングに支持され、ボスを受け入れてスライドすることにより第１コネクタを嵌合させるカム溝が形成されるとともに、スライド方向の両端部を除く中央部に、フード部を内方へ押圧する押圧部を有するスライダと、スライダをスライドさせるレバーとを備えた第２組立体を有する第２コネクタ
を備えたことを特徴とする。
【０００８】
また上記発明を達成する本発明の防水コネクタは、
嵌合の向きの前方に開口したフード部を有する第１ハウジングを備え、フード部に外向きに突出したボスが形成された相手コネクタと嵌合するコネクタであって、
相手コネクタと嵌合する嵌合部を有するインナハウジングと、該インナハウジングを一周に亘って取り巻き、フード部の内壁面に接して相手コネクタとの間を防水するシール部材とを備えた第１組立体、および
相手コネクタとの嵌合の向きの前方に開口し嵌合部の周りにフード部が嵌入する隙間を空けて第１組立体を収容するアウタハウジングと、相手コネクタとの嵌合の方向に交わるスライド方向にスライド自在にアウタハウジングに支持され、ボスを受け入れてスライドすることにより相手コネクタを嵌合させるカム溝が形成されるとともに、スライド方向の両端部を除く中央部に、フード部を内方へ押圧する押圧部を有するスライダと、スライダをスライドさせるレバーとを備えた第２組立体を有することを特徴とする。
【０００９】
本発明のコネクタ組立体および防水コネクタは、フード部を押圧する押圧部が、スライダの、スライド方向の両端部を除く中央部に設けられている。このため、スライドに伴う操作力の増大を抑えつつフード部の変形が防止される。
【００１０】
ここで、本発明の防水コネクタにおいて、
アウタハウジングが、スライド方向両端部にスライダを受け入れてスライダを支持する支持開口を有し、
上記押圧部が、レバーの操作による、スライダのスライドの全範囲において上記支持開口に支持されることのない、スライダの中央部に設けられていることが好ましい。
【００１１】
押圧部が支持開口から外れた位置に設けられていると、スライドに伴う操作力の増大がさらに抑えられる。
【発明の効果】
【００１２】
以上の本発明によれば、スライダの操作力の増大を抑えた上でフード部の変形を防止したコネクタ組立体および防水コネクタが実現する。
【図面の簡単な説明】
【００１３】
【図１】本発明の一実施形態としてのコネクタ組立体の外観斜視図である。
【図２】図１とは別の角度から眺めた、第１コネクタの斜視図である。
【図３】アウタハウジングの内側を示した、第２コネクタの斜視図である。
【図４】スライダの拡大斜視図である。
【図５】第１コネクタと第２コネクタが嵌合した状態におけるコネクタ組立体を第１コネクタ側から見た正面図である。
【図６】（Ａ）図５に示した矢印Ａ−Ａに沿う断面図、および、（Ｂ）図６（Ａ）に示した楕円Ｒの部分の拡大図である。
【発明を実施するための形態】
【００１４】
以下、本発明の実施の形態について説明する。
【００１５】
図１は、本発明の一実施形態としてのコネクタ組立体の外観斜視図である。
【００１６】
このコネクタ組立体１００は、互いに組み合う第１コネクタ１０と第２コネクタ２０とから構成されている。
【００１７】
図２は、図１とは別の角度から眺めた、第１コネクタの斜視図である。
【００１８】
ここでは先ず、これら図１，図２を参照して、第１コネクタ１０について説明する。
【００１９】
この第１コネクタ１０は、絶縁性樹脂製のハウジング１１を備えている。このハウジング１１には、第２コネクタ２０との嵌合の向き（矢印Ｘの向き）に開口したフード部１１１が設けられている。そして、フード部１１１内には、ハウジング１１に支持された雄型の金属製コンタクト１２が配置されている。また、このフード部１１１には外向きに突出したボス１１２が形成されている。ここで、この第１コネクタ１０は、本発明のコネクタ組立体における第１コネクタの一例に相当する。また、この第１コネクタ１０は、本発明の防水コネクタに組み合う相手コネクタの一例にも相当する。
【００２０】
図３は、アウタハウジングの内側を示した、第２コネクタの斜視図である。この図３では、アウタハウジング４１は、点線で示されている。
【００２１】
以下では、図１，図３を参照して、第２コネクタ２０について説明する。
【００２２】
第２コネクタ２０は、第１組立体３０と第２組立体４０を備えている。
【００２３】
第１組立体３０は、インナハウジング３１を備えている。このインナハウジング３１には、第１コネクタ１０と嵌合する嵌合部３１１が設けられている。そして、このインナハウジング３１には、第１コネクタ１０のコンタクト１２と電気的に導通するコンタクト（不図示）が支持されている。
【００２４】
また、この第１組立体３０は、インナハウジング３１を一周に亘って取り巻くシール部材３２を備えている。このシール部材３２は、第１コネクタ１０のハウジング１１のフード部１１１の内壁面１１３（図２参照）に接して第１コネクタ１０との間を防水する。
【００２５】
また、第２組立体４０は、第１コネクタ１０との嵌合の向き（矢印Ｘ’の向き）の前方に開口したアウタハウジング４１を備えている。このアウタハウジング４１はインナハウジング３１の嵌合部３１１の周りに、第１コネクタ１０のハウジング１１のフード部１１１が嵌入する隙間２１を空けて、第１組立体３０を収容している。
【００２６】
また、この第２組立体４０は、第１コネクタ１０との嵌合の方向に交わるスライド方向（図３に示す矢印Ｙ−Ｙ’方向）にスライド自在なスライダ５０を備えている。アウタハウジング４１には、スライド方向の両側に、スライダ５０を支持する支持開口４２ａ，４２ｂが形成されている。そして、スライダ５０は、スライド方向へのスライド位置に応じて、アウタハウジング４１の一方の端部の支持開口４２ａや他方の端部の支持開口４２ｂに入り込んで、アウタハウジング４１に支持されている。
【００２７】
このスライダ５０には、第１コネクタ１０のボス１１２を受け入れるカム溝５１（図４参照）が形成されている。このスライダ５０は、ボス１１２を受け入れてスライドすることにより、第１コネクタ１０を第２コネクタ２０に嵌合させる部材である。このスライダ５０についてはさらに後述する。
【００２８】
また、第２組立体４０には、回動操作されるレバー６０が備えられている。このレバーが回動操作されると、スライダ５０がスライドする。
【００２９】
さらに、この第２組立体４０には、ワイヤカバー７０が備えられている。このワイヤカバー７０は、第２コネクタ２０のコンタクト（不図示）に接続された電線（不図示）の先端付近を覆う部材である。
【００３０】
図４は、スライダの拡大斜視図である。
【００３１】
第２コネクタ２０には、上下一対のスライダ５０が備えられている。そして、各スライダ５０には、上述のカム溝５１が設けられている。このカム溝５１は、第１コネクタ１０を第２コネクタ２０に相対的に引き込んでそれらを嵌合させるためのものである。また、各スライダ５０にはラック５２が設けられている。レバー６０には、そのラック５２と組み合うピニオン（不図示）が設けられている。これにより、レバー６０を回動操作するとスライダ５０がスライドする。
【００３２】
また、各スライダ５０には、台部５３が設けられている。図４に付したハッチングは、台部５３を明示するためのものである。この台部５３は、本発明にいう押圧部の一例に相当する。この台部５３は、スライド方向（矢印Ｙ−Ｙ’方向）の両端部５４を除く、スライダ５０の中央部分に設けられていて、両端部５４よりも少し盛り上がった形状を有している。すなわち、台部５３におけるスライダ５０の厚さは、両端部５４におけるスライダ５０の厚さより大きい。
【００３３】
ここで、このスライダ５０は、上述の通り、アウタハウジング４１に設けられている支持開口４２ａ，４２ｂに入り込んで、アウタハウジング４１に支持されている。これらの支持開口４２ａ，４２ｂの寸法は、スライダ５０の両端部５４に寸法に適合する寸法となっている。
【００３４】
図５は、第１コネクタと第２コネクタが嵌合した状態におけるコネクタ組立体を第１コネクタ側から見た正面図である。
【００３５】
また、図６は、（Ａ）図５に示した矢印Ａ−Ａに沿う断面図、および、（Ｂ）図６（Ａ）に示した楕円Ｒの部分の拡大図である。ここで、第２コネクタ２０のコンタクトおよびそのコンタクトを先端に備えた電線については、図示が省略されている。また、この断面図上には第２コネクタ２０の詳細構造が現れているが、本実施形態の特徴部分とは無関係の部分についての詳細構造については、説明を省略する。
【００３６】
レバー６０の回動操作により、スライダ５０がスライドして第１コネクタ１０が第２コネクタ２０に相対的に引き込まれてそれらが嵌合する。すると、第２コネクタ２０のインナハウジング３１の外周面を取り巻くシール部材３２が第１コネクタ１０のフード部１１１の内壁面１１３に押し当てられる。なお、図６（Ａ），（Ｂ）では、シール部材３２は、フード部１１１に押し当てられる前の本来の寸法のまま図示されている。ただし、実際には、このシール部材３２は、フード部１１１により押し縮められ、その反力で、フード部１１１に、そのフード部１１１を押し広げる向きの力を与えている。このため、以下に説明する本実施形態の特徴を備えていない場合、環境温度条件等によっては、フード部１１１が、変形するおそれがある。
【００３７】
本実施形態の場合、この変形を抑えるために、スライダ５０のスライド方向の中央部分に台部５３が設けてある。この図６には、設計上の寸法の通りのスライダ５０が示されている。この台部５３は、フード部１１１に、図６（Ｂ）に示す距離ｄだけ食い込む寸法を有する。ただし、スライダ５０の台部５３は、フード部１１１に食い込むことはなく、その距離ｄに相当する分だけ、フード部１１１を押している。この台部５３がフード部１１１を押す向きは、シール部材３２がフード部１１１を押し広げる向きとは逆向きである内方への向きである。このように、本実施形態の場合、スライダ５０に台部５３を設けたことにより、環境温度条件等が変形を生じさせやすい条件にあっても、フード部１１１の変形が抑えられる。
【００３８】
ここで、スライド５０は、スライド方向の全域でフード部１１１を押すのではなく、フード部１１１を押すのは、図４に示すように、スライド方向の中央部分に設けられている台部５３に限られている。このため、スライダ５０のスライドに要する操作力の増大が僅かの増大に抑えられている。本実施形態の場合、このような、操作力の増大を僅かな増大に抑えた上で、フード部１１１の変形を有効に抑えている。
【００３９】
また、上述の通り、このスライダ５０は、アウタハウジング４１に設けられている支持開口４２ａ，４２ｂに入り込んでアウタハウジング４１に支持されている。これらの支持開口４２ａ，４２ｂの寸法は、スライダ５０の両端部５４に寸法に適合する寸法となっている。換言すると、支持開口４２ａ，４２ｂの幅は台部５３の厚みよりも狭く、台部５３を支持開口４２ａ，４２ｂに通そうとすると、大きな抵抗を受けることになる。ここで、スライダ５０の、支持開口４２ａ，４２ｂに支持される部分は、スライダ５０のスライド位置によって変化する。ただし、レバー６０の回動操作によりスライダ５０がどの位置にスライドしても、スライダ５０の、支持開口４２ａ，４２ｂに支持される部分は、スライダ５０の両端部５４に限られている。すなわち、レバー６０の回動操作によりスライダ５０がどの位置にスライドしても、台部５３が支持開口４２ａ，４２ｂに挟持されることは回避される。本実施形態の場合、このことにより、スライダ５０の操作力の増大がさらに抑えられている。
【００４０】
なお、本実施形態では、スライダスライダ５０に面形状の台部５３を設け、その台部５３でフード部１１１を押す構造となっている。ただし、フード部１１１を押す、本発明にいう押圧部の形状は、台部５３のような面形状である必要はない。例えば、スライド方向に延びる複数のリブを形成し、それらのリブでフード部を押圧する構造であってもよい。あるいは、複数の突起を形成し、それらの突起でフード部を押圧する構造であってもよい。このように、フード部をリブや突起で押圧する構造を採用すると、スライドに伴う操作力の増大がさらに抑えられる。
【符号の説明】
【００４１】
１０    第１コネクタ（相手コネクタ）
１１    ハウジング
１１１  フード部
１１２  ボス
１１３  フード部の内壁面
１２    コンタクト
２０    第２コネクタ
２１    隙間
３０    第１組立体
３１    インナハウジング
３１１  嵌合部
３２    シール部材
４０    第２組立体
４１    アウタハウジング
４２ａ，４２ｂ  支持開口
５０    スライダ
５１    カム溝
５２    ラック
５３    台部
５４    端部
６０    レバー
７０    ワイヤカバー
１００  コネクタ組立体
【図１】
2019200846.tif 000003
【図２】
2019200846.tif 000004
【図３】
2019200846.tif 000005
【図４】
2019200846.tif 000006
【図５】
2019200846.tif 000007
【図６】
2019200846.tif 000008